(57)【要約】【課題】水路の漏水箇所を確実かつ迅速に見つける。【解決手段】漏水箇所特定装置２は、貫通孔４が傾斜して多数穿設された探査基台３と、貫通孔４に収容され水中で浮上して貫通孔４の一端側４Ｂに保持される中空鉄球５と、貫通孔４の一端側４Ｂに設けられ中空鉄球５の離脱を検知すると検知信号を外部に出力する検知器８と、検知器８と電気的に接続され検知器８からの検知信号に基づいてどの貫通孔４に水流が発生したか特定し漏水箇所として表示装置に表示する中央演算処理装置１１とを備えている。水路Ｐの探査対象場所Ｔに探査基台３を投入し（Ｓ１）、水路の被探査面に探査基台３の一面を被探査面に接触させ（Ｓ２）、検出器８が水流の発生を検知すると中央演算処理装置１１により水流の生じた貫通孔４の開口部４Ａの位置を漏水箇所として特定して表示する（Ｓ３）。【選択図】図１
2013164300.tif 000002
【特許請求の範囲】
【請求項１】
水中に出し入れ可能に配され、一端開口を水路の漏水探査面に接触させ当該開口部で囲まれた水路の漏水探査面に漏水箇所があると内部に水流を発生させる流路を有する漏水箇所探査手段と、この漏水箇所探査手段の流路内に水流が発生すると水流の発生を検知して外部に水流発生検知信号を送出する水流検知手段と、水路の外部に設置され水流検知手段と電気的に接続されて水流検知手段からの検知信号に基づいて漏水の有無を表示する表示装置とを備えて構成されることを特徴とする水路の漏水箇所特定装置。
【請求項２】
漏水箇所探査手段は、流路の水路面側一端開口部が多数の開口からなり、各開口部毎に独立に流路を形成して構成され、
表示装置は、水流検知手段と電気的に接続された中央演算処理装置を備えて構成され、  中央演算処理装置は、予め水路探査対象場所における被探査面の位置情報と漏水箇所探査手段の各開口部の特定情報と当該各開口部の位置情報とが記憶される記憶部を備え、
水流検知手段は水流の発生を検知すると流路に応じた開口部を特定する特定信号を水流発生検知信号とともに外部に出力し、中央演算処理装置は外部からオペレータにより入力される水路探査対象場所における漏水箇所探査手段の位置情報と水流検知手段から受け取った特定信号と水流発生検知信号とに基づいて水路探査対象場所における漏水箇所の位置を特定して表示装置に表示することを特徴とする請求項１に記載の漏水箇所特定装置。
【請求項３】
漏水箇所探査手段は、内部に流路が形成された管体を多数連結し、各管体の一端開口部を点状、線状または面状に並べて構成したことを特徴とする請求項２に記載の漏水箇所特定装置。
【請求項４】
漏水箇所探査手段の水路探査面側を水路の漏水探査面に接触させた際、流路の水路面側開口部が他端開口部より低い位置になるよう流路を傾斜させて直線状に形成し、検知体を、流路内に脱落を阻止して移動自在に収容され水中で浮上する浮力を有する球状の浮上体により構成し、
水流検知手段は、漏水による水路開口部側の吸引力が浮上体の浮力を上回り浮上体が流路の他端開口部側から水路面開口部側に向かって移動すると、浮上体の離脱を検知して検知信号を送出することを特徴とする請求項１ないし３のうちいずれか１に記載の漏水箇所特定装置。
【請求項５】
漏水箇所特定装置を、水中に出し入れ可能に配され、一端開口を水路の漏水探査面に接触させ開口部で囲まれた水路の漏水探査面に漏水箇所があると内部に水流を発生させる流路を有する漏水箇所探査手段と、この漏水箇所探査手段の流路内に水流が発生すると水流の発生を検知して外部に検知信号を送出する水流検知手段と、水路の外部に設置され水流検知手段と電気的に接続されて水流検知手段からの検知信号に基づいて漏水の有無を表示する表示装置とを備えて構成し、
探査対象場所の水中に漏水箇所探査手段と水流検知手段とを投入する第１の工程と、
水路の被探査面に漏水箇所探査手段の水路面側開口部を臨ませて接触させる第２の工程と、
第２の工程後、表示装置により漏水の有無を確認する第３の工程と、
第３の工程で漏水が確認されると、漏水箇所探査手段の水路面側開口部が水路面に臨む箇所を水路探査対象場所における漏水箇所として特定する第４の工程とを有することを特徴とする漏水箇所特定方法。
【請求項６】
第４の工程後、漏水箇所探査手段を当該水路探査対象場所から他の水路探査対象場所に移動させ、第２ないし第４の工程を繰り返し、所望の探査対象場所の水路の被探査面の探査が完了すると作業を終了する第５の工程とを有することを特徴とする請求項５に記載の漏水箇所特定方法。
【請求項７】
第４の工程で、漏水箇所と特定された水路の被探査面に印を施すことを特徴とする請求項５または６に記載の漏水箇所特定方法。
【請求項８】
漏水箇所探査手段は、流路の水路面側一端開口部が多数の開口からなり、各開口部毎に独立に流路を形成して構成され、
表示装置は、水流検知手段と電気的に接続された中央演算処理装置を備えて構成され、  中央演算処理装置は、予め水路探査対象場所における被探査面の位置情報と漏水箇所探査手段の各開口部の特定情報と当該各開口部の位置情報とが記憶される記憶部を備え、
水流検知手段は水流の発生を検知すると流路に応じた開口部を特定する特定信号を水流発生検知信号とともに外部に出力し、中央演算処理装置は外部からオペレータにより入力される水路探査対象場所における漏水箇所探査手段の位置情報と水流検知手段から受け取った特定信号と水流発生検知信号とに基づいて水路探査対象場所における漏水箇所を特定して表示装置に表示するよう構成され、
第３の工程で、表示装置により漏水の有無を確認すると、
第４の工程で、漏水箇所探査手段の水路探査対象場所における位置情報と漏水を検知した開口部の特定情報と当該開口部の位置情報とに基づいて、水路探査対象場所における漏水箇所の位置を特定することを特徴とする請求項５ないし７のうちいずれか１に記載の漏水箇所特定方法。
【請求項９】
中央演算処理装置の記憶部には、予め水路における水路探査対象場所の位置情報が記憶され、各水路探査対象場所の漏水箇所を特定して、水路における漏水箇所を特定して記録するとともに、中央演算処理装置は漏水箇所の位置を表示装置に表示することを特徴とする請求項８に記載の漏水箇所特定方法。
【発明の詳細な説明】
【技術分野】
【０００１】
本発明は、コンクリート製開水路の漏水箇所を特定する漏水箇所特定装置とその装置を用いた漏水箇所特定方法に関する。
【背景技術】
【０００２】
一般に、広域にわたって整備されている農業用水路施設の保全管理には、機能低下要因の早期発見や監視、診断を間断なく行う必要があり、多大の労力を必要とする。このため、従来、水路の漏水箇所を特定する方法として、漏水検査対象区域を設定して水を溜めて、おが屑混合水を入れ、おが屑沈降後に対象区域の排水を行い、漏水箇所に吸着されこぶ状に残ったおが屑を見つけ、漏水箇所を特定するようにしたものが提案されている（例えば、特許文献１参照。）。また、一定の水深で水中音圧計を移動させながら水中音圧を測定し、水中音圧が最大となる位置を見いだし、その最大水中音圧の水中位置に対向する止水壁の部位を漏水位置とみなす池の漏水位置検知方法が提案されている（例えば、特許文献２参照。）。
【先行技術文献】
【特許文献】
【０００３】
【特許文献１】特開２００７−６４７４５号公報
【特許文献２】特開平６−１２３６２６号公報
【発明の概要】
【発明が解決しようとする課題】
【０００４】
しかしながら、特許文献１に記載の発明では、おが屑が水面に浮く浮体であることから、側面部の検出はできるものの底面部の漏水位置については検出できないという問題がある。また、特許文献２に記載の発明では、水圧が低い開水路を対象とする場合、音圧では少量の漏水部の検知が困難であるという問題がある。
【０００５】
本発明は、上記課題を解決するためになされたもので、確実かつ効率よく水路の漏水部を検知することができる水路の漏水箇所特定装置とその装置を用いた漏水箇所特定方法を提供することを目的とする。
【課題を解決するための手段】
【０００６】
本発明の請求項１に係る水路の漏水箇所特定装置は、水中に出し入れ可能に配され、一端開口を水路の漏水探査面に接触させ当該開口部で囲まれた水路の漏水探査面に漏水箇所があると内部に水流を発生させる流路を有する漏水箇所探査手段と、この漏水箇所探査手段の流路内に水流が発生すると水流の発生を検知して外部に水流発生検知信号を送出する水流検知手段と、水路の外部に設置され水流検知手段と電気的に接続されて水流検知手段からの検知信号に基づいて漏水の有無を表示する表示装置とを備えて構成されるようにしたことを特徴としている。
【０００７】
本発明の請求項１に係る水路の漏水箇所特定装置では、水中に出し入れ可能に配され、一端開口を水路の漏水探査面に接触させ当該開口部で囲まれた水路の漏水探査面に漏水箇所があると内部に水流を発生させる流路を有する漏水箇所探査手段と、この漏水箇所探査手段の流路内に水流が発生すると水流の発生を検知して外部に水流発生検知信号を送出する水流検知手段と、水路の外部に設置され水流検知手段と電気的に接続されて水流検知手段からの検知信号に基づいて漏水の有無を表示する表示装置とを備えて構成したことにより、探査対象場所の水中に漏水箇所探査手段と水流検知手段とを投入し、水路の被探査面に漏水箇所探査手段の水路面側開口部を臨ませて接触させると、表示装置により漏水の有無を確認することができる。漏水が確認されると、表示装置に漏水箇所探査手段の水路面側開口部が水路面に臨む箇所を水路探査対象場所における漏水箇所として特定して表示される。このように探査対象場所の漏水箇所が確実かつ容易に特定されるので、作業が効率化される。
【０００８】
本発明の請求項２に係る水路の漏水箇所特定装置は、漏水箇所探査手段は、流路の水路面側一端開口部が多数の開口からなり、各開口部毎に独立に流路を形成して構成され、
表示装置は、水流検知手段と電気的に接続された中央演算処理装置を備えて構成され、  中央演算処理装置は、予め水路探査対象場所における被探査面の位置情報と漏水箇所探査手段の各開口部の特定情報と当該各開口部の位置情報とが記憶される記憶部を備え、
水流検知手段は水流の発生を検知すると流路に応じた開口部を特定する特定信号を水流発生検知信号とともに外部に出力し、中央演算処理装置は外部からオペレータにより入力される水路探査対象場所における漏水箇所探査手段の位置情報と水流検知手段から受け取った特定信号と水流発生検知信号とに基づいて水路探査対象場所における漏水箇所の位置を特定して表示装置に表示するようにしたことを特徴としている。
【０００９】
本発明の請求項３に係る水路の漏水箇所特定装置は、漏水箇所探査手段は、内部に流路が形成された管体を多数連結し、各管体の一端開口部を点状、線状または面状に並べて構成したことを特徴としている。
【００１０】
本発明の請求項４に係る水路の漏水箇所特定装置は、漏水箇所探査手段の水路探査面側を水路の漏水探査面に接触させた際、流路の水路面側開口部が他端開口部より低い位置になるよう流路を傾斜させて直線状に形成し、検知体を、流路内に脱落を阻止して移動自在に収容され水中で浮上する浮力を有する球状の浮上体により構成し、水流検知手段は、漏水による水路開口部側の吸引力が浮上体の浮力を上回り浮上体が流路の他端開口部側から水路面開口部側に向かって移動すると、浮上体の離脱を検知して検知信号を送出するようにしたことを特徴としている。
【００１１】
本発明の請求項５に係る水路の漏水箇所特定方法は、漏水箇所特定装置を、水中に出し入れ可能に配され、一端開口を水路の漏水探査面に接触させ開口部で囲まれた水路の漏水探査面に漏水箇所があると内部に水流を発生させる流路を有する漏水箇所探査手段と、この漏水箇所探査手段の流路内に水流が発生すると水流の発生を検知して外部に検知信号を送出する水流検知手段と、水路の外部に設置され水流検知手段と電気的に接続されて水流検知手段からの検知信号に基づいて漏水の有無を表示する表示装置とを備えて構成し、探査対象場所の水中に漏水箇所探査手段と水流検知手段とを投入する第１の工程と、水路の被探査面に漏水箇所探査手段の水路面側開口部を臨ませて接触させる第２の工程と、第２の工程後、表示装置により漏水の有無を確認する第３の工程と、第３の工程で漏水が確認されると、漏水箇所探査手段の水路面側開口部が水路面に臨む箇所を水路探査対象場所における漏水箇所として特定する第４の工程とを有するようにしたことを特徴としている。
【００１２】
本発明の請求項５に係る水路の漏水箇所特定方法では、漏水箇所特定装置を、水中に出し入れ可能に配され、一端開口を水路の漏水探査面に接触させ開口部で囲まれた水路の漏水探査面に漏水箇所があると内部に水流を発生させる流路を有する漏水箇所探査手段と、この漏水箇所探査手段の流路内に水流が発生すると水流の発生を検知して外部に検知信号を送出する水流検知手段と、水路の外部に設置され水流検知手段と電気的に接続されて水流検知手段からの検知信号に基づいて漏水の有無を表示する表示装置とを備えて構成し、探査対象場所の水中に漏水箇所探査手段と水流検知手段とを投入する第１の工程と、水路の被探査面に漏水箇所探査手段の水路面側開口部を臨ませて接触させる第２の工程と、第２の工程後、表示装置により漏水の有無を確認する第３の工程と、第３の工程で漏水が確認されると、漏水箇所探査手段の水路面側開口部が水路面に臨む箇所を水路探査対象場所における漏水箇所として特定する第４の工程とを有するようにしたことにより、探査対象場所の水中に漏水箇所探査手段と水流検知手段とを投入し、水路の被探査面に漏水箇所探査手段の水路面側開口部を臨ませて接触させると、表示装置により漏水の有無を確認することができる。漏水が確認されると、表示装置に漏水箇所探査手段の水路面側開口部が水路面に臨む箇所を水路探査対象場所における漏水箇所として特定して表示される。このように探査対象場所の漏水箇所が確実かつ容易に特定されるので、作業が効率化される。
【００１３】
本発明の請求項６に係る水路の漏水箇所特定方法は、第４の工程後、漏水箇所探査手段を当該水路探査対象場所から他の水路探査対象場所に移動させ、第２ないし第４の工程を繰り返し、所望の探査対象場所の水路の被探査面の探査が完了すると作業を終了する第５の工程とを有するようにしたことを特徴としている。
【００１４】
本発明の請求項７に係る水路の漏水箇所特定方法は、第４の工程で、漏水箇所と特定された水路の被探査面に印を施すようにしたことを特徴としている。
【００１５】
本発明の請求項８に係る水路の漏水箇所特定方法は、漏水箇所探査手段は、流路の水路面側一端開口部が多数の開口からなり、各開口部毎に独立に流路を形成して構成され、表示装置は、水流検知手段と電気的に接続された中央演算処理装置を備えて構成され、中央演算処理装置は、予め水路探査対象場所における被探査面の位置情報と漏水箇所探査手段の各開口部の特定情報と当該各開口部の位置情報とが記憶される記憶部を備え、水流検知手段は水流の発生を検知すると流路に応じた開口部を特定する特定信号を水流発生検知信号とともに外部に出力し、中央演算処理装置は外部からオペレータにより入力される水路探査対象場所における漏水箇所探査手段の位置情報と水流検知手段から受け取った特定信号と水流発生検知信号とに基づいて水路探査対象場所における漏水箇所を特定して表示装置に表示するよう構成され、第３の工程で、表示装置により漏水の有無を確認すると、第４の工程で、漏水箇所探査手段の水路探査対象場所における位置情報と漏水を検知した開口部の特定情報と当該開口部の位置情報とに基づいて、水路探査対象場所における漏水箇所の位置を特定するようにしたことを特徴としている。
【００１６】
本発明の請求項９に係る水路の漏水箇所特定方法は、中央演算処理装置の記憶部には、予め水路における水路探査対象場所の位置情報が記憶され、各水路探査対象場所の漏水箇所を特定して、水路における漏水箇所を特定して記録するとともに、中央演算処理装置は漏水箇所の位置を表示装置に表示するようにしたことを特徴としている。
【発明の効果】
【００１７】
本発明の請求項１に係る漏水箇所特定装置は、水中に出し入れ可能に配され、一端開口を水路の漏水探査面に接触させ当該開口部で囲まれた水路の漏水探査面に漏水箇所があると内部に水流を発生させる流路を有する漏水箇所探査手段と、この漏水箇所探査手段の流路内に水流が発生すると水流の発生を検知して外部に水流発生検知信号を送出する水流検知手段と、水路の外部に設置され水流検知手段と電気的に接続されて水流検知手段からの検知信号に基づいて漏水の有無を表示する表示装置とを備えて構成されるようにしたので、確実にかつ容易に漏水箇所を特定することができ、作業のコストダウンを図ることができる。
【００１８】
本発明の請求項５に係る漏水箇所特定方法は、漏水箇所特定装置を、水中に出し入れ可能に配され、一端開口を水路の漏水探査面に接触させ開口部で囲まれた水路の漏水探査面に漏水箇所があると内部に水流を発生させる流路を有する漏水箇所探査手段と、この漏水箇所探査手段の流路内に水流が発生すると水流の発生を検知して外部に検知信号を送出する水流検知手段と、水路の外部に設置され水流検知手段と電気的に接続されて水流検知手段からの検知信号に基づいて漏水の有無を表示する表示装置とを備えて構成し、探査対象場所の水中に漏水箇所探査手段と水流検知手段とを投入する第１の工程と、水路の被探査面に漏水箇所探査手段の水路面側開口部を臨ませて接触させる第２の工程と、第２の工程後、表示装置により漏水の有無を確認する第３の工程と、第３の工程で漏水が確認されると、漏水箇所探査手段の水路面側開口部が水路面に臨む箇所を水路探査対象場所における漏水箇所として特定する第４の工程とを有するようにしたので、確実かつ容易に漏水箇所を特定することができるとともに、特定作業を効率化することができる。
【図面の簡単な説明】
【００１９】
【図１】図１は本発明の第１の実施例に係る漏水箇所特定装置を示す説明図である。（実施例１）
【図２】図２は図１の漏水箇所特定装置により水路の漏水箇所を探査している状態を示す説明図である。
【図３】図３の（Ａ）、（Ｂ）はそれぞれ、図１の漏水箇所特定装置の底面図および側面図である。
【図４】図４は図１の漏水箇所特定装置の板体に誘導型近接センサを取り付けた状態を示す平面図である。
【図５】図５は図４の漏水箇所特定装置のＶ−Ｖ線断面図である。
【図６】図６は図４の漏水箇所特定装置のＶＩ−ＶＩ線断面図である。
【図７】図７は図１の漏水箇所特定装置に水中カメラを取り付けた状態を示す説明図である。
【図８】図８の（Ａ）ないし（Ｄ）はそれぞれ、図１の漏水箇所特定装置を用いた漏水箇所特定方法により漏水の箇所を特定する工程を示す説明図である。
【図９】図９は本発明の第２の実施例に係る漏水箇所特定装置の要部を示す説明図である。（実施例２）
【図１０】図１０は図９の漏水箇所特定装置の水路側開口部を示す説明図である。
【図１１】図１１の（Ａ）ないし（Ｄ）はそれぞれ、図９の漏水箇所特定装置を用いた漏水箇所特定方法により漏水の箇所を特定する工程を示す説明図である。
【発明を実施するための形態】
【００２０】
水路の漏水箇所を確実かつ効率的に検知するという目的を、漏水箇所特定装置を、貫通孔を傾斜させて多数穿設し一面を水路の面に接離可能に臨ませて移動可能な探査基台と、貫通孔に脱落を阻止して収容され水中で浮上して貫通孔の一端に保持され貫通孔内に他端側への水流が生じると貫通孔一端から離脱する浮上体と、貫通孔一端側に設けられ浮上体の離脱を検知すると検知信号を外部に出力する検知器と、この検知器と電気的に接続され検知器からの検知信号に基づいてどの貫通孔に水流が発生したか特定し漏水箇所を表示装置に表示する中央演算処理装置とを備えて構成し、探査対象場所の水中に探査基台を投入し、この漏水箇所特定装置の貫通孔の水路側開口を水路の面に沿って移動を繰り返しながら漏水箇所を特定するようにしたことにより実現した。
【実施例１】
【００２１】
以下、図面に示す実施例により本発明を説明する。図１は、本発明の第１の実施例に係る漏水箇所特定装置を示す説明図である。本実施例に係る漏水箇所特定装置２は、図１に示すように、板状の探査基台（漏水箇所探査手段）３を備えて構成される。探査基台３には、全面にわたって貫通孔４が多数穿設される。貫通孔４は、図２に示すように、断面楕円状で一定の方向に傾斜して直線状に形成される。探査基台３は、持ち運びできるようになっており、作業者により水路の水中に出し入れされる。また、探査基台３は、貫通孔４の一端が開口する一面３Ａが平坦に形成される。つまり、探査基台３の一面３Ａが、水路の側面または底面の漏水探査面に接して、貫通孔４の水路面側開口部４Ａを塞ぎ、漏水箇所がある場合、貫通孔４内に水流を発生させることができるようになっている。貫通孔４の水路面側開口部４Ａは、図３の（Ａ）、（Ｂ）に示すように、探査基台３の一面３Ａに所定の間隔を隔てて開口するようになっている。なお、図中、同一符号は同一または相当部分を示す。
【００２２】
貫通孔４にはそれぞれ、図５および図６に示すように、中空鉄球（検知体、浮上体）５が収容される。貫通孔４の水路面側開口部４Ａには、抜け出し防止糸６が張設され、中空鉄球５が開口部４Ａから脱落するのを阻止している。中空鉄球５は水の質量より軽く、水中で浮上し、所定の力以上の水流が貫通孔４内に発生するとその水流の圧力を受けて貫通孔４内を移動するようになっている。探査基台３の他面３Ｂには、貫通孔４の他端開口部４Ｂ側に、凹陥部７が形成される。凹陥部７には、中空鉄球５の接近または離脱を検知して検知信号を外部に送出する検出器（誘導型近接センサー、水流検知手段）８が設けられる。中空鉄球５は検出器８の下面検出部８Ａにより貫通孔４の他端開口部４Ｂからの抜け止めがなされる。つまり、中空鉄球５は貫通孔４内に脱落が阻止されて移動自在に収容されるようになっている。
【００２３】
探査基台３が水中に投入され、被探査面が水路の底面の場合、探査基台３の一面３Ａが下方に向けられると、中空鉄球５が貫通孔４内を浮上し、検出器８の下面検出部８Ａに接して設定位置で貫通孔４の他端開口部４Ｂ側に保持される。そして、貫通孔４内に下方への水流が発生し、この水流により中空鉄球５が下方へ押し流され、下面検出部８Ａから離脱すると、検出器８は中空鉄球５の離脱を検出し、外部に離脱検知信号とともに貫通孔４を特定する特定信号を外部に送出するようになっている。探査基台３は、水中に投入され、一面３Ａが水路側面側に向けられると、傾斜して穿設された貫通孔４の他端開口部４Ｂが水路面側開口部４Ａより上位に位置するようになっている。このため、貫通孔４内に水流が発生しないと、中空鉄球５は常時下面検出部８Ａに接して貫通孔４の他端開口部４Ｂ側に保持される。そして、貫通孔４内に他端開口部４Ｂから水路側開口部４Ａに向かう水流が発生すると、中空鉄球５は下面検出部８Ａから離脱し水路側開口部４Ａ側に向かって移動するようになっている。
【００２４】
検出器８は、ケーブル９を介して水路の外に設置された制御装置１０に電気的に接続される。制御装置１０は、検出器８から貫通孔４の特定信号と中空鉄球５の離脱検知信号と受け取ると、検出器８毎の各検知信号を外部に出力するようになっている。制御装置１０はパソコン（表示装置、中央演算処理装置）１１に電気的に接続され、どの貫通孔４の中空鉄球５が離脱しているか表示し、中空鉄球５が離脱した貫通孔を漏水箇所とみなすようになっている。パソコン１１は、ＣＰＵ（中央演算処理装置）とメモリと外部からの情報を入出力するＵＳＢ接続部と入力部（キーボード、マウス）と表示画面とを備えた持ち運び可能なラップトップ型パソコンが望ましい。なお、図７に示すように、水中カメラ１２を設置してパソコン１１に接続し、パソコン１１で水中を観察するようにしてもよい。
【００２５】
パソコン１１には、図示しないメモリに予め水路探査対象場所Ｔ（Ｔ１、Ｔ２・・・Ｔｎ（ｎは任意の整数））における被探査面の位置情報と各開口部４Ａの特定情報（貫通孔の特定情報）４Ａ−１０１〜４Ａ−１３２と当該各開口部４Ａの基台３における位置情報１０１（ｘ、ｙ）〜１３２（ｘ、ｙ）（ｘ、ｙはそれぞれ基台３の平面上の基準点におけるｘ、ｙ座標に相当する。）とが記憶されるようになっている（図４参照）。水路探査対象場所Ｔにおける被探査面の位置情報は、例えば、水路Ｐの左右側面であれば上下方向寸法や上下流方向寸法、探査基台３の探査開始予定位置で、底面であれば左右方向寸法や上下流方向寸法、探査基台３の探査開始予定位置である。このため、制御装置１０からパソコン１１にある特定の開口部４Ａ−１０１について検出器８から特定信号と離脱検出信号が送られてくるとともに、パソコン１１に外部から作業者により探査基台３の水路探査対象場所Ｔ（Ｔ１）における位置情報が入力されると、予め記憶された水路探査対象場所Ｔ１の被探査面の位置情報と各開口部４Ａの特定情報４Ａ−１０１〜４Ａ−１３２と当該各開口部４Ａの探査基台３における位置情報１０１（ｘ、ｙ）〜１３２（ｘ、ｙ）とに基づいて、漏水箇所を特定し、記録するようになっている。このため、探査基台３を水路探査対象場所Ｔ１の作業開始位置から順次移動させて、水路探査対象場所Ｔ１における水路探査面の漏水箇所を特定すると、その漏水箇所がパソコン１１に記録される。探査基台３による作業終了後、探査基台３を水路探査対象場所Ｔ１から引き上げた後、パソコン１１に記録された漏水箇所のデータに基づいて、作業者が水路探査対象場所Ｔ１の漏水箇所をマーキングするようになっている。マーキングされた漏水箇所は、漏水箇所の漏水状況に応じて補修される。
【００２６】
次に、本発明に係る漏水箇所特定装置を用いた漏水箇所特定方法について、上記実施例に係る漏水箇所特定装置２の作用に基づいて説明する。まず、オペレータにより予めパソコン１１に水路探査対象場所Ｔ１の被探査面の位置情報を入力する。そして、図８の（Ｂ）に示すように、探査対象場所Ｔ１の水中に探査基台３を投入する（第１の工程Ｓ１）。探査対象場所Ｔ１に探査基台３を投入すると、オペレータにより、探査対象場所Ｔ１のどの位置に探査基台３をセットするか、探査対象場所Ｔ１における探査基台３の位置をパソコン１１に入力する。次に、水路Ｐ内の被探査面に探査基台３の一面３Ａを臨ませて貫通孔４の水路側開口部４Ａを被探査面に接触させる（第２の工程Ｓ２）。ここで、水路Ｐの被探査面に漏水箇所Ｌがあり、被探査面に接触している貫通孔４の水路側開口部４Ａがその漏水箇所Ｌを塞ぐと、貫通孔４には、他端開口部４Ｂから水路側開口部４Ａに向かう水流が発生し、中空鉄球５は検出器８の下面検出部８Ａから離脱し、設定位置から離れる。検出器８が中空鉄球５の離脱を検出し、検知信号をケーブル９を介して外部の制御装置１０に送出すると、制御装置１０は、検出器８からの特定信号と離脱検知信号とをパソコン１１に送出する。パソコン１１は、オペレータにより予め入力された探査対象場所Ｔ１における探査基台３の位置情報と、制御装置１０からの検知信号に基づいて、貫通孔４に水流が発生した箇所を漏水箇所として位置を特定し表示する（第３の工程Ｓ３）。このとき、特定された水路Ｐの漏水箇所Ｌをパソコン１１に記録し、後からマーキングしてもよいし、漏水箇所特定時に水路Ｐの漏水箇所Ｌにマーキングを施すようにしてもよい。次に、探査基台３が投入された場所について、漏水箇所の有無をパソコン１１で確認し終わると、探査基台３を探査対象場所Ｔ１の次の被探査面に移動させ、第２の工程Ｓ２と第３の工程Ｓ３を繰り返す（図８の（Ｃ）参照）。こうして、水路Ｐの探査対象場所Ｔ１の被探査面をすべて探査し終わると、作業を終了する（第４の工程Ｓ４）。新たな探査対象場所Ｔ２がある場合、その場所に探査基台３を移動し、前記第１の工程Ｓ１から第４の工程Ｓ４を繰り返す。このように、本実施例に係る漏水箇所特定装置を用いた漏水箇所特定方法では、正確にかつ効率よく水路の漏水箇所を検知して表示することができる。
【実施例２】
【００２７】
次に、本発明の第２の実施例に係る漏水箇所特定装置について説明する。本発明の第２の実施例に係る漏水箇所特定装置１０２では、上記第１の実施例が探査基台３を用いて、一度に広い面積の探査を行うようにしているのに対し、貫通孔４を備えた基台３に代えて、両端が開口する中空の管体（漏水箇所探査手段）２４を多数並べて用いる点、管体２４の水路側開口部２４Ａを矩形状に形成し、連続して直線状に並べて構成するとともに、これら開口部２４Ａの列を連結部材２３により所定の間隔を隔てて複列Ｒ、Ｌに構成し、複列の漏水箇所探査部で探査を行うようにした点が異なっている。すなわち、本実施例に係る漏水箇所特定装置１０２では、図９に示すように、多数の円管状の管体２４は、水路面側開口部２４Ａが矩形状に形成され、他端開口部２４Ｂが大径に形成される。管体２４の水路面側開口部２４Ａの近傍には、抜け出し防止ピン２６が貫入され、中空鉄球５が水路面側開口部２４Ａから脱落するのを阻止している。水路面側開口部２４Ａと他端開口部２４Ｂとの間には、水が自在に流通する流路２４Ｃが形成される。水路面側開口部２４Ａは流路２４Ｃの流路面積より広く形成され、漏水の量がわずかでも流路２４Ｃに水流を発生させやすくなっている。中空鉄球５は、流路２４Ｃに脱落が阻止されて移動自在に収容される。２列に配置された円管状の管体２４は連結部材２３により連結され、漏水箇所探査装置（探査体）３０を構成するようになっている。
【００２８】
管体２４の他端大径部２４Ｂには、中空鉄球５の接近または離脱を検知して検知信号を外部に送出する検出器２８が設けられる。検出器２８は、第１の実施例と同様に、ケーブル９を介して水路の外に設置された制御装置１０とパソコン１１とに電気的に接続される。中空鉄球５は検出器２８の下面検出部２８Ａにより管体２４の他端大径部２４Ｂからの抜け止めがなされる。中空鉄球５は管体２４が水没すると、水中で管体２４内を浮上して他端大径部２４Ｂ側に移動し、下面検出部２８Ａに接して設定位置で保持される。そして、中空鉄球５は、管体２４内に所定の力以上の水流が他端大径部２４Ｂ側から水路面側開口部２４Ａ側に向かって発生すると、下面検出部２８Ａから離脱するようになっている。
【００２９】
左右各列Ｒ、Ｌの管体２４−１（Ｒ）〜２４−Ｎ（Ｒ）、２４−１（Ｌ）〜２４−Ｎ（Ｌ）（Ｎは任意の整数）の矩形状水路面側開口部２４Ａは、図１０に示すように、各列Ｒ、Ｌ毎にそれぞれ連続して隣接し、互いに同一の長さで平行に配置される。両列Ｒ、Ｌの水路面側開口部２４Ａは、左右方向長さをＤ１に設定している。左右各列Ｒ、Ｌの管体２４（２４−１（Ｒ）〜２４−Ｎ（Ｒ）、２４−１（Ｌ）〜２４−Ｎ（Ｌ））は、図１０に示すように、断面円状で一定の方向に傾斜して直線状に形成される。すなわち、探査体３０の水路探査面側開口部２４Ａを水路Ｐの漏水探査面に接触させた際、管体２４の水路面側開口部２４Ａが常に他端大径部２４Ｂより低い位置になるよう構成される。漏水箇所特定装置１０２は、連結部材２３により連結された両列Ｒ、Ｌの管体２４−１（Ｒ）〜２４−Ｎ（Ｒ）、２４−１（Ｌ）〜２４−Ｎ（Ｌ）からなる探査体３０と検出器２８と制御装置１０とパソコン１１とを備えて構成される。
【００３０】
上記第２の実施例に係る漏水箇所特定装置１０２では、上述の如く構成されているので、オペレータにより予めパソコン１１に水路探査対象場所Ｔ１の被探査面の範囲の位置情報を入力する。そして、図１１の（Ａ）に示すように、探査対象場所Ｔ１の水中に漏水箇所探査装置（探査体）３０を投入する（第１の工程Ｓ１０１）。漏水箇所探査装置３０を投入すると、オペレータにより探査対象場所Ｔ１に投入された探査基台３の位置情報をパソコン１１に入力する。次に、被探査面に漏水箇所探査装置３０の水路面側開口部２４Ａ１〜２４ＡＮ、２４Ａ１〜２４ＡＮを臨ませて接触させる（第２の工程Ｓ１０２）。ここで、水路Ｐの被探査面に漏水箇所Ｌがあり、被探査面に接触している２列Ｒ、Ｌの水路側開口部２４Ａ１〜２４ＡＮのうちいずれかがその漏水箇所Ｌを塞ぐと、塞いだ当該管体２４内部には、上記第１の実施例と同様に水流が発生し、中空鉄球５は検出器２８の下面検出部２８Ａから離脱する。検出器２８が中空鉄球５の離脱を検出すると、検出器２８は検知信号と開口部の特定信号とを制御装置１０を介してパソコン１１に送出し、パソコン１１は制御装置１０からの検知信号に基づいて、水流が発生した箇所を漏水箇所として位置を特定し表示する（第３の工程Ｓ１０３）。このとき、特定された水路Ｐの漏水箇所Ｌをパソコン１１に記録し、後からマーキングしてもよいし、漏水箇所特定時に水路Ｐの漏水箇所Ｌにマーキングを施すようにしてもよい。次に、漏水箇所探査装置３０が投入された場所について、漏水箇所の有無をパソコン１１で確認し終わると、漏水箇所探査装置３０を左右方向のいずれか一方に向かって開口部２４Ａの左右方向の幅分次の被探査面に移動し、第２の工程Ｓ１０２と第３の工程Ｓ１０３を繰り返す。こうして、止水された水路Ｐの探査対象場所Ｔ（Ｔ１）の被探査面をすべて探査し終わると、作業を終了する（第４の工程Ｓ１０４）。
【００３１】
ところで、本実施例に係る漏水箇所特定装置１０２では、２列で構成された一対の水路側開口部２４Ａ１〜２４ＡＮを左右方向のうちいずれか一方の方向に開口部２４Ａの幅方向分ずつ移動させながら、漏水箇所を特定するようにしているので、図１１の（Ｂ）に示すように、移動方向に先行する右側列Ｒの水路側開口部２４Ａ１〜２４ＡＮの最初の設置位置に移動方向に追従する左側列Ｌの水路側開口部２４Ａ１〜２４ＡＮが達すると、両端間の距離（Ｄ１×２）分の距離被探査面を進んだことになる。このため、左側列Ｌが右側列Ｒの最初の位置に達すると、漏水箇所探査装置３０を被探査面から離して移動方向に距離Ｄ１分進めて探査作業を行うようになっている（図１１の（Ｃ）参照）。このため、重複して探査する必要がなく、効率的に探査作業を行うことができる。なお、探査作業時、右側列Ｒが両端間の距離Ｄ１に達する前に探査対象場所Ｔの終端部Ｅに達した場合、右側列Ｒでも左側列Ｌでも探査されていない水路面が生じるので、その場合、図１１の（Ｄ）に示すように、移動方向を逆にして戻すようにして探査作業を行うようにすればよい。なお、上記第２の実施例では、水路側開口部を複列で構成しているかこれに限られるものではなく単列としてもよいし、２以上の多列で構成してもよい。また、管体の移動方向について同じ水路探査面を重ねて探査し精度を向上させるようにしてもよい。
【００３２】
なお、上記各実施例では、水路Ｐのうち、所望の、あるいは任意の探査対象場所Ｔ（Ｔ１・・・Ｔｎ）について漏水箇所を特定するようにしているが、これに限られるものではなく、パソコン１１に予め水路における水路探査対象場所の位置情報を記憶させ、水路全体に亘って漏水箇所を探査するようにしてもよいことはいうまでもない。また、上記各実施例では、検知体として中空鉄球５を用いているがこれに限られるものではなく、水中で浮上する浮上体であって、検出器８、２８により接近または離脱が検知されるものであればよい。さらに、中空鉄球５は錆止めのため表面をコーティングするようにしてもよい。また、検知体は浮上体に限られるものではなく、一端が流路４、２４の検出器８、２８側に取り付けられ、他端の自由端が検出器８、２８の検出部８Ａ、２８Ａに接離可能に揺動する磁性を有する切片により構成してもよく、水流の発生がないときは、他端自由端が検出部８Ａ、２８Ａに接触または接近し、流路４、２４に水流が発生すると、他端自由端が検出部８Ａ、２８Ａから離れるように構成し、漏水を検知するようにしてもよい。さらに、上記実施例では、水流検知手段を貫通孔４または管体２４内の水中で浮上する中空鉄球５とこの中空鉄球５の離脱を検知する検出器８、２８とにより構成しているがこれに限られるものではなく、水流検知手段を電磁流速センサにより構成し、磁界と交差して水が流れることで生じた電位差を一対の検知電極で検出して水流の流速を計測するようにしてもよい。また、上記各実施例では、探査基台３や漏水箇所探査装置（探査体）３０を探査対象場所Ｔ１に投入する際、水路Ｐの探査対象場所Ｔ（Ｔ１）で流水中に投入して探査するようにしているが、これに限られるものではなく、止水して所定の探査水位で静水状態とするようにしてもよい。その場合、探査基台３や漏水箇所探査装置（探査体）３０を被探査面に接触させてもよいし、接触する直前まで接近させた状態で保持し、流路（貫通孔４、流路２４Ｃ）に漏水による流れを生じさせるようにしてもよい。
【００３３】
また、上記実施例では、水路において漏水箇所を特定するようにしているが、これに限られるものではなく、漏水が確認された開水路を補修した後、満足する止水効果が発揮されているかどうかを確認して評価することにも供される。また、農業用の開水路に限られるものではなく、他の用途の開水路以外にも、ポンプ場の吸込水槽、吐出し水槽、調圧水槽、排水桝、排水側溝、水路トンネル、ボックスカルバート、ファームポンド、プール等でも適用可能であることは言うまでもない。
【符号の説明】
【００３４】
２  漏水箇所特定装置
３  探査基台（漏水個所探査手段）
４  貫通孔（流路）
４Ａ  貫通孔の水路面側開口部（一端開口）
８  検出器（水流検知手段）
１０  制御装置（水流検知手段）
１１  パソコン（表示装置）
Ｐ  水路
Ｌ  漏水箇所
【図１】
2013164300.tif 000003
【図２】
2013164300.tif 000004
【図３】
2013164300.tif 000005
【図４】
2013164300.tif 000006
【図５】
2013164300.tif 000007
【図６】
2013164300.tif 000008
【図７】
2013164300.tif 000009
【図８】
2013164300.tif 000010
【図９】
2013164300.tif 000011
【図１０】
2013164300.tif 000012
【図１１】
2013164300.tif 000013